(57)【要約】【課題】  アノードコモンにおいて多数個の多色発光ＬＥＤを時分割駆動し、ドットごとの多色点灯が可能な発光装置およびそれを用いた表示装置を提供する。【解決手段】  赤色発光ダイオード２１Ｒを点灯させるとき、赤色制御信号Ｒ１をオン側に設定し、緑色制御信号Ｇ１をオフ側に設定する。これにより、赤色用トランジスタ３１Ｒがオンし、緑色用トランジスタ３１Ｇがオフとなる。この結果、赤色発光ダイオード２１Ｒが導通可能状態となり、緑色発光ダイオード２１Ｇは非導通状態となる。その後、赤色用定電流回路１１Ｒをオンにすると、赤色発光ダイオード２１Ｒが点灯する。緑色発光ダイオード２１Ｇを点灯させるときには、緑色制御信号Ｇ１をオン側に設定し、赤色制御信号Ｒ１をオフ側に設定する。その後、緑色用定電流回路１１Ｇをオンにすると、緑色発光ダイオード２１Ｇが点灯する。【選択図】        図１
2006286826.tif 000002
【特許請求の範囲】
【請求項１】
アノードコモン接続された複数の発光素子を含む発光素子部と、
前記複数の発光素子の各々に定電流を供給する定電流駆動部と、
前記複数の発光素子のオンオフを制御するスイッチング制御部とを備える、発光装置。
【請求項２】
前記定電流駆動部は、第１端が電源ノードに接続され、第２端が前記複数の発光素子の共通アノードに接続された、複数の定電流回路を含む、請求項１に記載の発光装置。
【請求項３】
前記スイッチング制御部は、エミッタが接地ノードに接続され、コレクタが前記複数の発光素子の各カソードに接続され、ベースに発色ごとの制御信号を受ける、複数のトランジスタを含む、請求項１に記載の発光装置。
【請求項４】
前記発光素子部は、アノードコモン接続された前記複数の発光素子を有する発色単位ごとの発光素子ユニットを含む、請求項１に記載の発光装置。
【請求項５】
前記定電流駆動部は、第１端が電源ノードに接続され、第２端が前記発光素子ユニットにおける前記複数の発光素子の共通アノードに接続された、発色単位ごとの定電流回路ユニットを含む、請求項４に記載の発光装置。
【請求項６】
前記定電流駆動部は、電源ノードに接続されるとともに前記複数の発光素子の共通アノードに接続され、発色ごとの制御信号を受ける、複数の定電流制御回路を含む、請求項４に記載の発光装置。
【請求項７】
前記定電流制御回路は、前記複数の発光素子に供給する定電流量を前記制御信号に応じて前記発光素子ごとに制御する、請求項６に記載の発光装置。
【請求項８】
前記発光素子ユニットは、複数の発光素子ユニット群を有する、請求項４に記載の発光装置。
【請求項９】
前記スイッチング制御部は、前記複数の発光素子のオンオフを発色ごとに制御する複数のスイッチング制御ユニットを含み、
前記複数のスイッチング制御ユニットの各々は、
エミッタが接地ノードに接続され、コレクタが前記発光素子ユニット群における前記複数の発光素子の各カソードに接続され、ベースに発色ごとの制御信号を受ける、複数のトランジスタと、
前記複数のトランジスタのいずれかに前記制御信号を切り替える時分割スイッチとを含む、請求項８に記載の発光装置。
【請求項１０】
外部から前記制御信号に対応するデータを受ける発色ごとの入力端子をさらに備える、請求項９に記載の発光装置。
【請求項１１】
前記定電流制御回路は、外部から前記制御信号に対応するデータを受けて前記データを記憶するメモリを含む、請求項６に記載の発光装置。
【請求項１２】
前記スイッチング制御部は、前記複数の発光素子のオンオフ時間を前記発光素子ごとに制御する、請求項１に記載の発光装置。
【請求項１３】
前記発光素子部は、前記定電流駆動部および前記スイッチング制御部を内蔵する、請求項１に記載の発光装置。
【請求項１４】
前記発光素子は、発光ダイオードである、請求項１〜１３のいずれかに記載の発光装置。
【請求項１５】
請求項１〜１４のいずれかに記載の発光装置を画面上に複数配列した表示装置。
【発明の詳細な説明】
【技術分野】
【０００１】
この発明は、発光装置および表示装置に関し、特に、発光ダイオードを用いて多色表示する発光装置およびそれを用いた表示装置に関する。
【背景技術】
【０００２】
多数個の発光ダイオード（ＬＥＤ（Light Emitting Diode）とも称する）を駆動装置によって駆動する場合、ＬＥＤ（チップ）ごとに駆動回路を接続するのが基本である。この場合、ＬＥＤを多数個使用するには、駆動回路も必然的に多数個必要となる。
【０００３】
これを回避するため、ＬＥＤをグループ化し、駆動回路を共通化することが考案されている。具体的には、各々複数のＬＥＤを有するＬＥＤ群を駆動回路によって切り替えることにより、そのＬＥＤ群を時分割駆動する。また、多数個の多色ＬＥＤを用いた表示装置を駆動する回路として、発光色ごとにグループ化したものをスイッチ回路で色ごとに交互に点灯させるものがある。
【０００４】
従来のＬＥＤアレイ駆動装置は、ＬＥＤ群ごとにスイッチ回路を設け、当該スイッチ回路を切り替えることにより、当該ＬＥＤ群の奇数番目のＬＥＤと偶数番目のＬＥＤとを時分割駆動する（たとえば、特許文献１参照）。
【０００５】
従来のマイクロコンピュータは、出力端子に赤および緑の２色ＬＥＤのカソード側が接続され、当該２色ＬＥＤは個別または同時に駆動可能で、当該出力端子がローレベル出力となる場合にのみ点灯する（たとえば、特許文献２参照）。
【特許文献１】特開平５−３３８２６１号公報
【特許文献２】特開平１１−２７２３７２号公報
【発明の開示】
【発明が解決しようとする課題】
【０００６】
従来のＬＥＤアレイ駆動装置は、多数個のカソードコモン接続のＬＥＤを時分割駆動しており、ＬＥＤ群ごとにスイッチ回路を設けている。しかし、このスイッチ回路はＬＥＤを単純にグループ化して切り替えるものであって、多数個の多色発光ＬＥＤを時分割駆動する回路については開示していない。
【０００７】
従来のマイクロコンピュータは、多数個の多色発光ＬＥＤを時分割駆動することについて開示しているが、アノードコモンのＬＥＤについては開示していない。また、従来のマイクロコンピュータは、ＬＥＤに接続されている定電流回路が発光色ごとに分離されているため、ドットごとの多色点灯ができない。
【０００８】
それゆえに、この発明の目的は、アノードコモンにおいて多数個の多色発光ＬＥＤを時分割駆動し、ドットごとの多色点灯が可能な発光装置およびそれを用いた表示装置を提供することである。
【課題を解決するための手段】
【０００９】
この発明による発光装置は、アノードコモン接続された複数の発光素子を含む発光素子部と、複数の発光素子の各々に定電流を供給する定電流駆動部と、複数の発光素子のオンオフを制御するスイッチング制御部とを備える。
【００１０】
好ましくは、定電流駆動部は、第１端が電源ノードに接続され、第２端が複数の発光素子の共通アノードに接続された、複数の定電流回路を含む。
【００１１】
好ましくは、スイッチング制御部は、エミッタが接地ノードに接続され、コレクタが複数の発光素子の各カソードに接続され、ベースに発色ごとの制御信号を受ける、複数のトランジスタを含む。
【００１２】
好ましくは、発光素子部は、アノードコモン接続された複数の発光素子を有する発色単位ごとの発光素子ユニットを含む。
【００１３】
好ましくは、定電流駆動部は、第１端が電源ノードに接続され、第２端が発光素子ユニットにおける複数の発光素子の共通アノードに接続された、発色単位ごとの定電流回路ユニットを含む。
【００１４】
好ましくは、定電流駆動部は、電源ノードに接続されるとともに複数の発光素子の共通アノードに接続され、発色ごとの制御信号を受ける、複数の定電流制御回路を含む。
【００１５】
好ましくは、定電流制御回路は、複数の発光素子に供給する定電流量を制御信号に応じて発光素子ごとに制御する。
【００１６】
好ましくは、発光素子ユニットは、複数の発光素子ユニット群を有する。
【００１７】
好ましくは、スイッチング制御部は、複数の発光素子のオンオフを発色ごとに制御する複数のスイッチング制御ユニットを含む。複数のスイッチング制御ユニットの各々は、エミッタが接地ノードに接続され、コレクタが発光素子ユニット群における複数の発光素子の各カソードに接続され、ベースに発色ごとの制御信号を受ける、複数のトランジスタと、複数のトランジスタのいずれかに制御信号を切り替える時分割スイッチとを含む。
【００１８】
好ましくは、外部から制御信号に対応するデータを受ける発色ごとの入力端子をさらに備える。
【００１９】
好ましくは、定電流制御回路は、外部から制御信号に対応するデータを受けてデータを記憶するメモリを含む。
【００２０】
好ましくは、スイッチング制御部は、複数の発光素子のオンオフ時間を発光素子ごとに制御する。
【００２１】
好ましくは、発光素子部は、定電流駆動部およびスイッチング制御部を内蔵する。
【００２２】
好ましくは、発光素子は、発光ダイオードである。
【００２３】
この発明の他の局面によれば、発光装置を画面上に複数配列した表示装置であって、発光装置は、アノードコモン接続された複数の発光素子を含む発光素子部と、複数の発光素子の各々に定電流を供給する定電流駆動部と、複数の発光素子のオンオフを制御するスイッチング制御部とを備える。
【発明の効果】
【００２４】
この発明によれば、アノードコモンにおいて多数個の多色発光ＬＥＤを時分割駆動し、ドットごとに多色点灯することが可能となる。
【発明を実施するための最良の形態】
【００２５】
以下、この発明の実施の形態について図面を参照して詳しく説明する。なお、図中同一または相当部分には同一符号を付してその説明は繰り返さない。
【００２６】
［実施の形態１］
図１は、この発明の実施の形態１による発光装置１Ａの構成を示した回路図である。
【００２７】
図１を参照して、実施の形態１の発光装置１Ａは、定電流駆動部１０Ａと、発光ダイオード部２０Ａと、スイッチング制御部３０Ａとを備える。
【００２８】
定電流駆動部１０Ａは、一方端が電源ノードに接続され、他方端が発光ダイオード部２０Ａの共通アノードに接続された、赤色用定電流回路１１Ｒと、緑色用定電流回路１１Ｇとを含む。すなわち、赤色用定電流回路１１Ｒと緑色用定電流回路１１Ｇとは、並列接続されている。
【００２９】
発光ダイオード部２０Ａは、赤色発光ダイオード２１Ｒと、緑色発光ダイオード２１Ｇとを含む。赤色発光ダイオード２１Ｒと緑色発光ダイオード２１Ｇとは、アノード側が共通結線されたアノードコモン接続となっている。
【００３０】
スイッチング制御部３０Ａは、赤色用トランジスタ３１Ｒと、緑色用トランジスタ３１Ｇとを含む。赤色用トランジスタ３１Ｒは、エミッタが接地ノードに接続され、コレクタが赤色発光ダイオード２１Ｒのカソードに接続され、ベースに赤色制御信号Ｒ１を受ける。緑色用トランジスタ３１Ｇは、エミッタが接地ノードに接続され、コレクタが緑色発光ダイオード２１Ｇのカソードに接続され、ベースに緑色制御信号Ｇ１を受ける。
【００３１】
発光装置１Ａは、赤色発光ダイオード２１Ｒを点灯させるとき、赤色制御信号Ｒ１をオン側に設定し、緑色制御信号Ｇ１をオフ側に設定する。これにより、赤色用トランジスタ３１Ｒがオンし、緑色用トランジスタ３１Ｇがオフとなる。この結果、赤色発光ダイオード２１Ｒが導通可能状態となり、緑色発光ダイオード２１Ｇは非導通状態となる。その後、赤色用定電流回路１１Ｒをオンにすると、赤色発光ダイオード２１Ｒが点灯する。
【００３２】
発光装置１Ａは、緑色発光ダイオード２１Ｇを点灯させるとき、緑色制御信号Ｇ１をオン側に設定し、赤色制御信号Ｒ１をオフ側に設定する。その後、緑色用定電流回路１１Ｇをオンにすると、緑色発光ダイオード２１Ｇが点灯する。赤色制御信号Ｒ１と緑色制御信号Ｇ１とを交互にオンオフすることにより、赤色発光ダイオード２１Ｒと緑色発光ダイオード２１Ｇとが時分割駆動される。これにより、赤色と緑色との混色発光が実現する。
【００３３】
発光装置１Ａは、赤色制御信号Ｒ１と緑色制御信号Ｇ１とのオンオフ時間を調整することにより、赤色と緑色との混合比率を自由に調整することができる。なお、図１の発光装置１Ａは、赤色と緑色との２色発光の場合を示しているが、定電流回路等を並列に追加することにより、たとえば青色を加えた３色発光、あるいはそれ以上の多色発光も容易に実現することができる。
【００３４】
以上のように、実施の形態１によれば、アノードコモン接続された複数の発光ダイオードのアノード側に発光色に対応した数の定電流回路を接続することによって、多色発光ＬＥＤを時分割駆動し、ドットごとに多色点灯することが可能となる。
【００３５】
［実施の形態２］
図２は、この発明の実施の形態２による発光装置１Ｂの構成を示した回路図である。
【００３６】
図２を参照して、実施の形態２の発光装置１Ｂは、赤色用定電流回路１１Ｒと、緑色用定電流回路１１Ｇと、赤色発光ダイオード２１Ｒと、緑色発光ダイオード２１Ｇと、赤色用トランジスタ３１Ｒと、緑色用トランジスタ３１Ｇとを含む。発光装置１Ｂは、発光ダイオードに駆動回路を内蔵したものである。
【００３７】
赤色用定電流回路１１Ｒは、一方端が端子５１に接続され、他方端が赤色発光ダイオード２１Ｒおよび緑色発光ダイオード２１Ｇの共通アノードに接続されている。緑色用定電流回路１１Ｇは、一方端が端子５２に接続され、他方端が赤色発光ダイオード２１Ｒおよび緑色発光ダイオード２１Ｇの共通アノードに接続されている。端子５１，５２は、いずれも電源ノードに接続される。赤色発光ダイオード２１Ｒと緑色発光ダイオード２１Ｇとは、アノード側が共通結線されたアノードコモン接続となっている。
【００３８】
赤色用トランジスタ３１Ｒは、エミッタが端子５３に接続され、コレクタが赤色発光ダイオード２１Ｒのカソードに接続され、ベースに赤色制御信号Ｒ１を受ける。緑色用トランジスタ３１Ｇは、エミッタが端子５４に接続され、コレクタが緑色発光ダイオード２１Ｇのカソードに接続され、ベースに緑色制御信号Ｇ１を受ける。端子５３，５４は、いずれも接地ノードに接続される。
【００３９】
実施の形態２の発光装置１Ｂは、動作の点では実施の形態１の発光装置１Ａと同様なので、ここでは説明を繰り返さない。
【００４０】
図３は、図２の発光装置１Ｂの外観を概略的に示した斜視図である。
【００４１】
図３に示すように、発光装置１Ｂは、内部に赤色発光ダイオード２１Ｒ、緑色発光ダイオード２１Ｇ等を含み、端子５１〜５４が外付けされている。このように発光ダイオードに駆動回路を内蔵することは、この発明の他の実施の形態における発光装置であっても可能である。
【００４２】
以上のように、実施の形態２によれば、アノードコモン接続された発光ダイオードに駆動回路を内蔵することによって、発光装置全体をコンパクトにまとめることができ、表示装置等への応用もしやすくなる。
【００４３】
［実施の形態３］
図４は、この発明の実施の形態３による発光装置１Ｃの構成を示した回路図である。
【００４４】
図４を参照して、実施の形態３の発光装置１Ｃは、定電流駆動部１０Ｃと、発光ダイオード部２０Ｃ１，２０Ｃ２と、スイッチング制御部３０Ｃとを備える。
【００４５】
定電流駆動部１０Ｃは、赤色用定電流回路１１Ｒ，１２Ｒと、緑色用定電流回路１１Ｇ，１２Ｇとを含む。赤色用定電流回路１１Ｒおよび緑色用定電流回路１１Ｇは、いずれも、一方端が電源ノードに接続され、他方端が発光ダイオード部２０Ｃ１の共通アノードに接続されている。赤色用定電流回路１２Ｒおよび緑色用定電流回路１２Ｇは、いずれも、一方端が電源ノードに接続され、他方端が発光ダイオード部２０Ｃ２の共通アノードに接続されている。
【００４６】
発光ダイオード部２０Ｃ１は、赤色発光ダイオード２１Ｒと、緑色発光ダイオード２１Ｇとを含む。赤色発光ダイオード２１Ｒと緑色発光ダイオード２１Ｇとは、アノード側が共通結線されたアノードコモン接続となっている。発光ダイオード部２０Ｃ２は、赤色発光ダイオード２２Ｒと、緑色発光ダイオード２２Ｇとを含む。赤色発光ダイオード２２Ｒと緑色発光ダイオード２２Ｇとは、アノード側が共通結線されたアノードコモン接続となっている。
【００４７】
スイッチング制御部３０Ｃは、赤色用トランジスタ３１Ｒと、緑色用トランジスタ３１Ｇとを含む。赤色用トランジスタ３１Ｒは、エミッタが接地ノードに接続され、コレクタが赤色発光ダイオード２１Ｒ，２２Ｒの各カソードに接続され、ベースに赤色制御信号Ｒ１を受ける。緑色用トランジスタ３１Ｇは、エミッタが接地ノードに接続され、コレクタが緑色発光ダイオード２１Ｇ，２２Ｇの各カソードに接続され、ベースに緑色制御信号Ｇ１を受ける。
【００４８】
発光装置１Ｃは、赤色発光ダイオード２１Ｒ，２２Ｒを点灯させるとき、赤色制御信号Ｒ１をオン側に設定し、緑色制御信号Ｇ１をオフ側に設定する。これにより、赤色用トランジスタ３１Ｒがオンし、緑色用トランジスタ３１Ｇがオフとなる。この結果、赤色発光ダイオード２１Ｒ，２２Ｒが導通可能状態となり、緑色発光ダイオード２１Ｇ，２２Ｇは非導通状態となる。その後、赤色用定電流回路１１Ｒ，１２Ｒをオンにすると、赤色発光ダイオード２１Ｒ，２２Ｒがそれぞれ点灯する。
【００４９】
発光装置１Ｃは、緑色発光ダイオード２１Ｇ，２２Ｇを点灯させるとき、緑色制御信号Ｇ１をオン側に設定し、赤色制御信号Ｒ１をオフ側に設定する。その後、緑色用定電流回路１１Ｇ，１２Ｇをオンにすると、緑色発光ダイオード２１Ｇ，２２Ｇがそれぞれ点灯する。赤色制御信号Ｒ１と緑色制御信号Ｇ１とを交互にオンオフすることにより、赤色発光ダイオード２１Ｒ，２２Ｒと緑色発光ダイオード２１Ｇ，２２Ｇとが時分割駆動される。これにより、赤色と緑色との混色発光が実現する。
【００５０】
発光装置１Ｃは、赤色制御信号Ｒ１と緑色制御信号Ｇ１とのオンオフ時間を調整することにより、赤色と緑色との混合比率を自由に調整することができる。また、赤色用定電流回路１１Ｒと赤色用定電流回路１２Ｒとで定電流駆動量を変えることにより、発光ダイオード部２０Ｃ１と発光ダイオード部２０Ｃ２とで色調を変化させることができる。これは、緑色用定電流回路１１Ｇ，１２Ｇについても同じである。
【００５１】
なお、図４の発光装置１Ｃは、赤色と緑色との２色発光の場合を示しているが、定電流回路等を並列に追加することにより、たとえば青色を加えた３色発光、あるいはそれ以上の多色発光も容易に実現することができる。
【００５２】
以上のように、実施の形態３によれば、アノードコモン接続された発光ダイオードを発色単位ごとに複数ユニット設け、共通のスイッチング制御部で制御することにより、複数個の多色発光ＬＥＤを時分割駆動し、ドットごとに多色点灯することが可能となる。
【００５３】
［実施の形態４］
図５は、この発明の実施の形態４による発光装置１Ｄの構成を示した回路図である。
【００５４】
図５を参照して、実施の形態４の発光装置１Ｄは、赤色用定電流制御回路１０Ｒと、緑色用定電流制御回路１０Ｇと、発光ダイオード部２１〜２８と、スイッチング制御部３０Ｄとを備える。
【００５５】
赤色用定電流制御回路１０Ｒは、電源ノードに接続されるとともに発光ダイオード部２１〜２８の共通アノードに接続され、赤色制御信号Ｒ１を受ける。緑色用定電流制御回路１０Ｇは、電源ノードに接続されるとともに発光ダイオード部２１〜２８の共通アノードに接続され、緑色制御信号Ｇ１を受ける。
【００５６】
発光ダイオード部２１は、赤色発光ダイオード２１Ｒと、緑色発光ダイオード２１Ｇとを含む。赤色発光ダイオード２１Ｒと緑色発光ダイオード２１Ｇとは、アノード側が共通結線されたアノードコモン接続となっている。発光ダイオード部２２〜２８についても同様である。
【００５７】
スイッチング制御部３０Ｄは、赤色用トランジスタ３１Ｒと、緑色用トランジスタ３１Ｇとを含む。赤色用トランジスタ３１Ｒは、エミッタが接地ノードに接続され、コレクタが赤色発光ダイオード２１Ｒ〜２８Ｒの各カソードに接続され、ベースに赤色制御信号Ｒ１を受ける。緑色用トランジスタ３１Ｇは、エミッタが接地ノードに接続され、コレクタが緑色発光ダイオード２１Ｇ〜２８Ｇの各カソードに接続され、ベースに緑色制御信号Ｇ１を受ける。
【００５８】
発光装置１Ｄは、赤色発光ダイオード２１Ｒ〜２８Ｒを点灯させるとき、赤色制御信号Ｒ１をオン側に設定し、緑色制御信号Ｇ１をオフ側に設定する。これにより、赤色用トランジスタ３１Ｒがオンし、緑色用トランジスタ３１Ｇがオフとなる。この結果、赤色発光ダイオード２１Ｒ〜２８Ｒが導通可能状態となり、緑色発光ダイオード２１Ｇ〜２８Ｇは非導通状態となる。その後、赤色用定電流制御回路１０Ｒは、赤色制御信号Ｒ１を受けて赤色発光ダイオード２１Ｒ〜２８Ｒに定電流を流す。これにより、赤色発光ダイオード２１Ｒ〜２８Ｒが点灯する。
【００５９】
発光装置１Ｄは、緑色発光ダイオード２１Ｇ〜２８Ｇを点灯させるとき、緑色制御信号Ｇ１をオン側に設定し、赤色制御信号Ｒ１をオフ側に設定する。これにより、緑色発光ダイオード２１Ｇ〜２８Ｇが点灯する。赤色制御信号Ｒ１と緑色制御信号Ｇ１とを交互にオンオフすることにより、赤色発光ダイオード２１Ｒ〜２８Ｒと緑色発光ダイオード２１Ｇ〜２８Ｇとが時分割駆動される。これにより、赤色と緑色との混色発光が実現する。
【００６０】
発光装置１Ｄは、赤色制御信号Ｒ１と緑色制御信号Ｇ１とのオンオフ時間を調整することにより、赤色と緑色との混合比率を自由に調整することができる。また、赤色用定電流制御回路１０Ｒからの定電流駆動量を赤色発光ダイオード２１Ｒ〜２８Ｒに応じて変えることにより、発光ダイオード部２１〜２８ごとに色調を変化させることができる。これは、緑色用定電流制御回路１０Ｇについても同じである。
【００６１】
なお、図５の発光装置１Ｄは、赤色と緑色との２色発光の場合を示しているが、定電流回路等を並列に追加することにより、たとえば青色を加えた３色発光、あるいはそれ以上の多色発光も容易に実現することができる。
【００６２】
以上のように、実施の形態４によれば、アノードコモン接続された発光ダイオードを発色単位ごとに複数ユニット設け、共通のスイッチング制御部および発色ごとの定電流駆動制御回路で制御することにより、多数個の多色発光ＬＥＤを時分割駆動し、ドットごとに多色点灯することが可能となる。
【００６３】
［実施の形態５］
図６は、この発明の実施の形態５による発光装置１Ｅの構成を示した回路図である。
【００６４】
実施の形態５の発光装置１Ｅは、スイッチング制御部３０Ｄがスイッチング制御部３０Ｅ１，３０Ｅ２に置き換えられた点においてのみ、実施の形態４の発光装置１Ｄと異なる。したがって、重複する部分の説明は、ここでは繰り返さない。
【００６５】
スイッチング制御部３０Ｅ１は、赤色用トランジスタ３１Ｒ，３５Ｒと、赤色時分割スイッチ３３Ｒとを含む。赤色用トランジスタ３１Ｒは、エミッタが接地ノードに接続され、コレクタが赤色発光ダイオード２１Ｒ〜２４Ｒの各カソードに接続され、ベースが赤色時分割スイッチ３３Ｒに接続されている。赤色用トランジスタ３５Ｒは、エミッタが接地ノードに接続され、コレクタが赤色発光ダイオード２５Ｒ〜２８Ｒの各カソードに接続され、ベースが赤色時分割スイッチ３３Ｒに接続されている。赤色時分割スイッチ３３Ｒは、赤色制御信号Ｒ１を赤色用トランジスタ３１Ｒと赤色用トランジスタ３５Ｒとに切り替える。
【００６６】
スイッチング制御部３０Ｅ２は、緑色用トランジスタ３１Ｇ，３５Ｇと、緑色時分割スイッチ３３Ｇとを含む。緑色用トランジスタ３１Ｇは、エミッタが接地ノードに接続され、コレクタが緑色発光ダイオード２１Ｇ〜２４Ｇの各カソードに接続され、ベースが緑色時分割スイッチ３３Ｇに接続されている。緑色用トランジスタ３５Ｇは、エミッタが接地ノードに接続され、コレクタが緑色発光ダイオード２５Ｇ〜２８Ｇの各カソードに接続され、ベースが緑色時分割スイッチ３３Ｇに接続されている。緑色時分割スイッチ３３Ｇは、緑色制御信号Ｇ１を緑色用トランジスタ３１Ｇと緑色用トランジスタ３５Ｇとに切り替える。
【００６７】
発光装置１Ｅは、赤色発光ダイオード２１Ｒ〜２８Ｒを点灯させるとき、赤色制御信号Ｒ１をオン側に設定し、緑色制御信号Ｇ１をオフ側に設定する。赤色制御信号Ｒ１は、赤色時分割スイッチ３３Ｒによって、赤色用トランジスタ３１Ｒまたは赤色用トランジスタ３５Ｒに振り分けられる。緑色制御信号Ｇ１は、緑色時分割スイッチ３３Ｇによって、緑色用トランジスタ３１Ｇまたは緑色用トランジスタ３５Ｇに振り分けられる。
【００６８】
上記により、赤色用トランジスタ３１Ｒおよび赤色用トランジスタ３５Ｒのいずれか一方がオンし、緑色用トランジスタ３１Ｇ，３５Ｇはオフとなる。この結果、赤色発光ダイオード２１Ｒ〜２４Ｒまたは赤色発光ダイオード２５Ｒ〜２８Ｒが導通可能状態となり、緑色発光ダイオード２１Ｇ〜２８Ｇは非導通状態となる。その後、赤色用定電流制御回路１０Ｒは、赤色制御信号Ｒ１を受けて赤色発光ダイオード２１Ｒ〜２８Ｒに定電流を流す。これにより、赤色発光ダイオード２１Ｒ〜２４Ｒと赤色発光ダイオード２５Ｒ〜２８Ｒとが時分割駆動される。
【００６９】
発光装置１Ｅは、緑色発光ダイオード２１Ｇ〜２８Ｇを点灯させるとき、緑色制御信号Ｇ１をオン側に設定し、赤色制御信号Ｒ１をオフ側に設定する。これにより、緑色発光ダイオード２１Ｇ〜２４Ｇと緑色発光ダイオード２５Ｇ〜２８Ｇとが時分割駆動される。赤色制御信号Ｒ１と緑色制御信号Ｇ１とを交互にオンオフすることにより、赤色発光ダイオード２１Ｒ〜２８Ｒと緑色発光ダイオード２１Ｇ〜２８Ｇとが時分割駆動される。これにより、赤色と緑色との混色発光が実現する。
【００７０】
発光装置１Ｅは、赤色制御信号Ｒ１と緑色制御信号Ｇ１とのオンオフ時間を調整することにより、赤色と緑色との混合比率を自由に調整することができる。また、赤色用定電流制御回路１０Ｒからの定電流駆動量を赤色発光ダイオード２１Ｒ〜２８Ｒに応じて変えることにより、発光ダイオード部２１〜２８ごとに色調を変化させることができる。これは、緑色用定電流制御回路１０Ｇについても同じである。
【００７１】
なお、図６の発光装置１Ｅは、赤色と緑色との２色発光の場合を示しているが、定電流回路等を並列に追加することにより、たとえば青色を加えた３色発光、あるいはそれ以上の多色発光も容易に実現することができる。
【００７２】
以上のように、実施の形態５によれば、アノードコモン接続された発光ダイオードを発色単位ごとに複数ユニット設け、時分割スイッチを含むスイッチング制御部を発色ごとに設けることにより、多数個の多色発光ＬＥＤを発色ごとおよび発色内で時分割駆動し、ドットごとに多色点灯することが可能となる。
【００７３】
［実施の形態６］
図７は、この発明の実施の形態６による発光装置１Ｆの構成を示した回路図である。
【００７４】
実施の形態６の発光装置１Ｆは、スイッチング制御部３０Ｄがスイッチング制御部３０Ｆに置き換えられ、赤色用入力端子４１Ｒと緑色用入力端子４１Ｇとが付加された点においてのみ、実施の形態４の発光装置１Ｄと異なる。したがって、重複する部分の説明は、ここでは繰り返さない。
【００７５】
スイッチング制御部３０Ｆは、赤色用トランジスタ３１Ｒ，３５Ｒと、緑色用トランジスタ３１Ｇ，３５Ｇと、赤色時分割スイッチ３３Ｒと、緑色時分割スイッチ３３Ｇとを含む。実施の形態６のスイッチング制御部３０Ｆは、実施の形態５のスイッチング制御部３０Ｅ１とスイッチング制御部３０Ｅ２とを１つにまとめたものである。
【００７６】
赤色用入力端子４１Ｒは、外部から赤色発光に関するシリアルデータを受ける。緑色用入力端子４１Ｇは、外部から緑色発光に関するシリアルデータを受ける。これらのシリアルデータを赤色制御信号Ｒ１または緑色制御信号Ｇ１に反映させることにより、多数個の多色発光ＬＥＤにおける発色ごとまたは発色内での時分割多重を外部から制御することが可能となる。
【００７７】
なお、図７の発光装置１Ｆは、赤色と緑色との２色発光の場合を示しているが、定電流回路等を並列に追加することにより、たとえば青色を加えた３色発光、あるいはそれ以上の多色発光も容易に実現することができる。
【００７８】
以上のように、実施の形態６によれば、アノードコモン接続された発光ダイオードを発色単位ごとに複数ユニット設け、発色ごとに入力端子を付加することにより、多数個の多色発光ＬＥＤにおける発色ごとまたは発色内での時分割多重を外部から制御することが可能となる。
【００７９】
［実施の形態７］
図８は、この発明の実施の形態７による発光装置１Ｇの構成を示した回路図である。
【００８０】
実施の形態７の発光装置１Ｇは、赤色用定電流制御回路１０Ｒが赤色用入力端子４１Ｒを有する赤色用定電流制御回路１０Ｇ１に、緑色用定電流制御回路１０Ｇが緑色用入力端子４１Ｇを有する緑色用定電流制御回路１０Ｇ２にそれぞれ置き換えられた点においてのみ、実施の形態６の発光装置１Ｆと異なる。したがって、重複する部分の説明は、ここでは繰り返さない。
【００８１】
赤色用定電流制御回路１０Ｇ１は、赤色用メモリ１５Ｒを含み、赤色用入力端子４１Ｒに接続されている。赤色用定電流制御回路１０Ｇ１は、赤色用入力端子４１Ｒを介して、外部から赤色発光に関するシリアルデータを受ける。赤色用メモリ１５Ｒは、当該シリアルデータをいったん記憶する。赤色用定電流制御回路１０Ｇ１は、赤色用メモリ１５Ｒから随時転送される当該シリアルデータを赤色制御信号Ｒ１に反映させることにより、多数個の多色発光ＬＥＤにおける発色ごとまたは発色内での時分割多重を外部から制御することが可能となる。
【００８２】
緑色用定電流制御回路１０Ｇ２は、緑色用メモリ１５Ｇを含み、緑色用入力端子４１Ｇに接続されている。緑色用定電流制御回路１０Ｇ２は、緑色用入力端子４１Ｇを介して、外部から緑色発光に関するシリアルデータを受ける。緑色用メモリ１５Ｇは、当該シリアルデータをいったん記憶する。緑色用定電流制御回路１０Ｇ２は、緑色用メモリ１５Ｇから随時転送される当該シリアルデータを緑色制御信号Ｇ１に反映させることにより、多数個の多色発光ＬＥＤにおける発色ごとまたは発色内での時分割多重を外部から制御することが可能となる。
【００８３】
なお、図８の発光装置１Ｇは、赤色と緑色との２色発光の場合を示しているが、定電流回路等を並列に追加することにより、たとえば青色を加えた３色発光、あるいはそれ以上の多色発光も容易に実現することができる。
【００８４】
以上のように、実施の形態７によれば、アノードコモン接続された発光ダイオードを発色単位ごとに複数ユニット設け、発色ごとに入力端子およびメモリを含む定電流制御回路を付加することにより、多数個の多色発光ＬＥＤにおける発色ごとまたは発色内での時分割多重を外部からより細かく制御することが可能となる。
【００８５】
［実施の形態８］
図９は、この発明の実施の形態８による表示装置１００の外観を模式的に示した斜視図である。
【００８６】
図９に示すように、実施の形態８の表示装置１００は、発光装置１が画面上に複数配列されている。発光装置１は、実施の形態１〜７の発光装置１Ａ〜１Ｇのいずれかである。発光装置１は、実施の形態２の図２，３で説明したように、発光ダイオードに駆動回路を内蔵したものであることが望ましい。
【００８７】
以上のように、実施の形態８によれば、アノードコモン接続された発光ダイオードを含む発光装置を画面上に複数配列することによって、多色発光ＬＥＤを画面上で時分割駆動し、ドットごとに多色点灯することが可能となる。
【００８８】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００８９】
【図１】この発明の実施の形態１による発光装置１Ａの構成を示した回路図である。
【図２】この発明の実施の形態２による発光装置１Ｂの構成を示した回路図である。
【図３】発光装置１Ｂの外観を概略的に示した斜視図である。
【図４】この発明の実施の形態３による発光装置１Ｃの構成を示した回路図である。
【図５】この発明の実施の形態４による発光装置１Ｄの構成を示した回路図である。
【図６】この発明の実施の形態５による発光装置１Ｅの構成を示した回路図である。
【図７】この発明の実施の形態６による発光装置１Ｆの構成を示した回路図である。
【図８】この発明の実施の形態７による発光装置１Ｇの構成を示した回路図である。
【図９】この発明の実施の形態８による表示装置１００の外観を模式的に示した斜視図である。
【符号の説明】
【００９０】
１，１Ａ〜１Ｇ  発光装置、１０Ａ，１０Ｃ  定電流駆動部、１０Ｒ，１０Ｇ１  赤色用定電流制御回路、１０Ｇ，１０Ｇ２  緑色用定電流制御回路、１１Ｒ，１２Ｒ  赤色用定電流回路、１１Ｇ，１２Ｇ  緑色用定電流回路、１５Ｒ  赤色用メモリ、１５Ｇ  緑色用メモリ、２０Ａ，２０Ｃ１，２０Ｃ２，２１〜２８  発光ダイオード部、２１Ｒ〜２８Ｒ  赤色発光ダイオード、２１Ｇ〜２８Ｇ  緑色発光ダイオード、３０Ａ，３０Ｃ，３０Ｄ，３０Ｅ１，３０Ｅ２，３０Ｆ  スイッチング制御部、３１Ｒ，３５Ｒ  赤色用トランジスタ、３１Ｇ，３５Ｇ  緑色用トランジスタ、３３Ｒ  赤色時分割スイッチ、３３Ｇ  緑色時分割スイッチ、４１Ｒ  赤色用入力端子、４１Ｇ  緑色用入力端子、５１〜５４  端子、１００  表示装置。
【図１】
2006286826.tif 000003
【図２】
2006286826.tif 000004
【図３】
2006286826.tif 000005
【図４】
2006286826.tif 000006
【図５】
2006286826.tif 000007
【図６】
2006286826.tif 000008
【図７】
2006286826.tif 000009
【図８】
2006286826.tif 000010
【図９】
2006286826.tif 000011